(57)【要約】【課題】より良好に充電を行うことができる電子制御装置を提供することを目的とする。【解決手段】上記課題を解決するため本発明の蓄電池装置は、蓄電池を装着する装着部と、蓄電池に蓄えられた電力を使用して、所定の機能を実行する制御部と、を備える。そして、制御部は、所定の機能の実行指示を受け付けている場合において、蓄電池を充電するとき、蓄電池に充電されている電力が、所定の機能を実行するために使用する電力よりも低い場合は、所定の機能の実行を保留する。【選択図】図１
2016048970.tif 000002
【特許請求の範囲】
【請求項１】
蓄電池を装着する装着部と、
前記蓄電池に蓄えられた電力を使用して、所定の機能を実行する制御部と、を備え、
前記制御部は、
前記所定の機能の実行指示を受け付けている場合において、前記蓄電池を充電するとき、前記蓄電池に充電されている電力が、前記所定の機能を実行するために使用する電力よりも低い場合は、前記所定の機能の実行を保留する、
電子制御装置。
【請求項２】
前記制御部は、
前記蓄電池に充電されたている電力が、前記所定の機能を実行するために使用する電力を超えたとき、保留していた前記所定の機能の実行を開始する、
請求項１に記載の電子制御装置。
【請求項３】
通信部を更に備え、
前記所定の機能は、前記通信部を介した通信機能である、
請求項１又は２に記載の電子制御装置。
【発明の詳細な説明】
【技術分野】
【０００１】
本発明は電子制御装置に関する。
【背景技術】
【０００２】
電子機器を載せると電磁誘導により充電を行う充電器が知られている。例えば、特許文献１は、電子機器に備えられた二次電池を電磁誘導により充電するための二次コイルと電磁的に結合し、二次電池を充電する複数の一次コイルと、電子機器の載置位置、形状、重さを含む電子機器情報を検出する検出手段とを備える充電器を開示している。
【先行技術文献】
【特許文献】
【０００３】
【特許文献１】特開２０１１−１２５１３７号公報
【発明の概要】
【発明が解決しようとする課題】
【０００４】
電子制御装置は、各種の機能を実行するのに際し、バッテリセルに充電された電力を消費する。電子制御装置が各種の機能を実行するときにおいても、良好に充電できることが望まれる。
【０００５】
本発明は上記課題を鑑みてなされたものであり、より良好に充電を行うことができる電子制御装置を提供することを目的とする。
【課題を解決するための手段】
【０００６】
上記課題を解決するため本発明の蓄電池装置は、蓄電池を装着する装着部と、蓄電池に蓄えられた電力を使用して、所定の機能を実行する制御部と、を備える。そして、制御部は、所定の機能の実行指示を受け付けている場合において、蓄電池を充電するとき、蓄電池に充電されている電力が、所定の機能を実行するために使用する電力よりも低い場合は、所定の機能の実行を保留する。
【発明の効果】
【０００７】
本発明によれば、より良好に充電を行うことができる電子制御装置を提供できる。
【図面の簡単な説明】
【０００８】
【図１】デジタルビデオカメラ１００、バッテリパック２００および、無接点充電器３００の電気的構成図
【図２】バッテリパック２００のマイコン２１０の動作フローチャート
【図３】バッテリ電圧値の時間変化を説明するイメージ図
【発明を実施するための形態】
【０００９】
〔１．実施の形態１〕
実施の形態１にかかるデジタルビデオカメラ１００は、バッテリパック２００を装着可能であり、バッテリパック２００から供給される電力に基づいて、各種動作を実行する。デジタルビデオカメラ１００は、ＷｉＦｉモジュール１６０を搭載しており、他の通信機器とＷｉＦｉ通信することができる。このとき、デジタルビデオカメラ１００は、バッテリパック２００の充電電圧に応じて、ＷｉＦｉ通信を許可するか、ＷｉＦｉ通信を許可せずバッテリパック２００の充電を継続するかを判断する。これにより、バッテリパック２００に対する無接点充電の電力が、ＷｉＦｉ通信による消費電力を上回ったことを確認でき、バッテリパック２００への充電と、他の通信機器へのＷｉＦｉ通信とを確実に両立させることができる。
【００１０】
以下、実施の形態１にかかるデジタルビデオカメラ１００、バッテリパック２００および、無接点充電器３００の電気的構成および、動作について詳細を説明する。
【００１１】
図１は、デジタルビデオカメラ１００、バッテリパック２００および、無接点充電器３００の電気的構成図である。
【００１２】
デジタルビデオカメラ１００は、マイコン１１０、電源回路１２０、プラス端子１３０、Ｔ端子１４０、マイナス端子１５０、ＷｉＦｉモジュール１６０、ＷｉＦｉボタン１６５、カードスロット１７０、光学系１８０、撮像センサ１８５、画像処理部１９０、システムバス１９５を備えている。
【００１３】
マイコン１１０は、デジタルビデオカメラ１００全体の制御を行う演算回路である。マイコン１１０は、電源回路１２０とシステムバス１９５と電気的に接続されている。システムバス１９５は、光学系１８０、撮像センサ１８５、画像処理部１９０、カードスロット１７０と電気的に接続されている。そのため、マイコン１１０は、システムバス１９５を介して、各構成を制御することができる。
【００１４】
電源回路１２０は、電力を取り込んで、デジタルビデオカメラ１００を構成する各部が正常に動作するために必要な電圧を生成する。例えば、取り込んだ電圧が４Ｖであって、マイコン１１０が正常に動作するために必要な電圧が３Ｖであった場合、電源回路１２０は、取り込んだ４Ｖの電圧を３Ｖに変圧して、マイコン１１０に供給する。
【００１５】
プラス端子１３０は、バッテリパック２００から、デジタルビデオカメラ１００内の電気回路に電力を取り込むときの入口となる端子である。マイナス端子１５０は、バッテリパック２００から、デジタルビデオカメラ１００内の電気回路に電力を取り込むときの出口となる端子である。すなわち、デジタルビデオカメラ１００が、バッテリパック２００から供給される電力に基づいて動作するとき、電流は、プラス端子１３０からマイナス端子１５０へと流れる。
【００１６】
ＷｉＦｉモジュール１６０は、通信規格ＩＥＥＥ８０２．１１に準拠した通信モジュールである。デジタルビデオカメラ１００は、ＷｉＦｉモジュール１６０を介して、ＷｉＦｉモジュールを搭載した他の通信機器と通信することができる。デジタルビデオカメラ１００は、ＷｉＦｉモジュール１６０を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに置換しても構わない。すなわち、無線通信が可能な通信モジュールであればよい。
【００１７】
ＷｉＦｉボタン１６５は、デジタルビデオカメラ１００に対してＷｉＦｉ通信指示を行うためのユーザインタフェースである。
【００１８】
カードスロット１７０は、メモリカード１７５を着脱可能な接続手段である。カードスロット１７０は、メモリカード１７５を電気的及び機械的に接続可能である。メモリカード１７５は、内部にフラッシュメモリ等の記録部を備えた外部メモリである。メモリカード１７５は、画像データなどのデータを記録できる。
【００１９】
光学系１８０は、フォーカスレンズや、ズームレンズなどから構成される。撮像センサ１８５は、光学系１８０を介して形成された被写体像を撮像して撮像データを生成する。画像処理部１９０は、撮像センサ１８５が生成した撮像データに対して各種画像処理を施して、画像データを生成する。各種処理としては、ホワイトバランス補正、ガンマ補正、ＹＣ変換処理、電子ズーム処理、圧縮処理、伸張処理等が挙げられる。デジタルビデオカメラ１００が動画撮影する場合、画像処理部１９０は、Ｈ．２６４などの所定の動画記録フォーマットに従って、動画ファイルを生成する。画像処理部１９０により生成された動画ファイルは、メモリカード１７５に記録される。
【００２０】
バッテリパック２００は、マイコン２１０、充電回路２２０、充電用コイル２３０、スイッチ２４０、バッテリセル２５０、プラス端子２６０、Ｔ端子２７０、マイナス端子２８０を備えている。バッテリパック２００は、デジタルビデオカメラ１００に対して着脱することができる。バッテリパック２００がデジタルビデオカメラ１００に装着されたとき、バッテリパック２００のプラス端子２６０は、デジタルビデオカメラ１００のプラス端子１２０と電気的に接触する。同様に、バッテリパック２００のＴ端子２７０は、デジタルビデオカメラ１００のＴ端子１４０と電気的に接触する。同様に、バッテリパック２００のマイナス端子２８０は、デジタルビデオカメラ１００のマイナス端子１５０と電気的に接触する。
【００２１】
マイコン２１０は、バッテリパック２００全体の制御を行う演算回路である。マイコン２１０は、充電回路２２０、スイッチ２４０、Ｔ端子２７０などと電気的に接続されている。
【００２２】
充電回路２２０は、充電用コイル２３０から供給される電流の整流を行って、マイコン２１０からの充電電流値の指示に従って、電流を供給する。スイッチ２４０は、マイコン２１０からの通電指示に従って、充電回路２２０から供給される電流を通電させるか否かを切り替える。
【００２３】
バッテリセル２５０は、充電回路２２０からの電流供給により、電力を蓄える。バッテリセル２５０は、充電回路２２０から電流供給されている限り、最大容量まで電力を蓄えることができる。バッテリセル２５０は、蓄えた電力により、デジタルビデオカメラ１００に対して電力供給することができる。
【００２４】
Ｔ端子２７０は、バッテリパック２００が、デジタルビデオカメラ１００と電気的に接続されているか否かを検出するために用いる端子である。Ｔ端子２７０は、本来は、バッテリセル２５０の温度を検出するための端子であるが、本実施の形態では、デジタルビデオカメラ１００と電気的に接続されているか否かを検出するために用いる端子として活用する。なお、デジタルビデオカメラ１００と電気的に接続されているか否かを検出する端子は、Ｔ端子２７０に限定されるものではなく、独立した用途の端子を別途備えるようにしてもよい。
【００２５】
無接点充電器３００は、マイコン３１０、充電回路３２０、充電用コイル３３０、ジャック３４０を備える。ジャック３４０は、無接点充電器３００内部の電気回路に電力を取り込む。無接点充電器３００は、取り込んだ電力に基づいて、充電用コイル３３０に電流を供給する。無接点充電器３００の充電用コイル２３０と対向する位置に、バッテリパック２００の充電用コイル２３０が位置するよう、バッテリパック２００を配置すると、電磁誘導の作用により、バッテリパック２００の充電用コイル２３０に電流が流れる。
【００２６】
続いて、デジタルビデオカメラ１００、バッテリパック２００および、無接点充電器３００の電流供給の動作フローおよび、デジタルビデオカメラ１００のマイコン２１０の動作フローについて説明する。
【００２７】
以下では、バッテリパック２００は、デジタルビデオカメラ１００に装着されているとして説明する。また、バッテリパック２００を装着したデジタルビデオカメラ１００を、無接点充電器３００の上に配置する前に、ユーザは、ＷｉＦｉボタン１６５を押下して、マイコン１１０に対してＷｉＦｉ通信指示を出しているとして説明する。
【００２８】
まず、無接点充電器３００の電流供給動作について説明する。ジャック３４０は、ＡＣアダプタと電気的に接続された後、ＡＣアダプタから供給される電力をマイコン３１０に供給する。マイコン３１０は、電力が供給されると、充電回路３２０に対して、充電用コイル３３０に電流を流すよう動作指示する。充電回路３２０は、マイコン３１０からの動作指示に従って、ジャック３４０から供給される電力に基づいて、充電用コイル３３０に電流を流す。これにより、充電用コイル３３０の周囲には電磁場が発生する。
【００２９】
充電用コイル３３０が発生させた電磁場内に、バッテリパック２００の充電用コイル２３０が位置するとき、電磁誘導の作用により、充電用コイル２３０に電流が発生する。充電用コイル２３０で発生した電流は、充電回路２２０に供給される。
【００３０】
充電回路２２０は、充電用コイル２３０からの電流供給を受けて、マイコン２１０に電力を供給する。これにより、マイコン２１０は起動することができる。
【００３１】
続いて、マイコン２１０は、所定の電流値（１Ａ）で充電するよう、充電回路２２０に対して指示する。充電回路２２０に対して充電指示した後、マイコン２１０は、スイッチ２４０に対して通電指示を行う。これにより、スイッチ２４０は、充電回路２２０からの電力を、バッテリセル２５０に供給する。バッテリセル２５０は、充電回路２２０からの電力供給に基づいて、電荷蓄積（充電）を開始する。
【００３２】
バッテリセル２５０は、プラス端子（２６０，１３０）およびマイナス端子（１５０、２８０）を介して、デジタルビデオカメラ１００の電源回路１２０に電力を供給する。電源回路１２０に電力が供給されると、電源回路１２０は、マイコン１１０に電力を供給して、マイコン１１０を起動させる。
【００３３】
以下、マイコン１１０が起動した後の、マイコン１１０の動作フローについて説明する。マイコン１１０は、電源回路１２０を介して、バッテリパック２００内のバッテリセル２５０の電圧値を検出する（Ｓ４００）。電源回路１２０は、レジスタを備えている。そして、電源回路１２０に対して、バッテリパック２００から電力が供給されると、電源回路１２０のレジスタが書き換えられる。マイコン１１０は、レジスタが書き換えられているのを読み込むことで、バッテリパック２００内のバッテリセル２５０の電圧値を検出することができる。
【００３４】
マイコン１１０は、ステップＳ４００で検出したバッテリセル２５０の電圧値と、所定の基準電圧値（第１の電圧値）とを比較する（Ｓ４０１）。基準電圧値（第１の電圧値）の詳細については、後述する。バッテリセル２５０の電圧値が、所定の基準電圧値（第１の電圧値）よりも低い場合（Ｓ４０１におけるＮｏ）、マイコン１１０は、ＷｉＦｉ通信を開始せず保留にして、バッテリセル２５０への充電をそのまま継続させる。そして、マイコン１１０は、バッテリセル２５０の電圧値が、所定の基準電圧値（第１の電圧値）を上回るまで、ステップＳ４００およびＳ４０１の動作を繰り返す。
【００３５】
バッテリセル２５０の電圧値が、所定の基準電圧値（第１の電圧値）よりも高い場合（Ｓ４０１におけるＹｅｓ）、マイコン１１０は、電源回路１２０を介して、ＷｉＦｉモジュール１６０に電力を供給させて、ＷｉＦｉモジュール１６０を起動させる（Ｓ４０２）。続いて、マイコン１１０は、ＷｉＦｉモジュール１６０を介して、通信相手となる他の通信機器を探索する（Ｓ４０３）。
【００３６】
マイコン１１０は、通信相手となる他の通信機器が発見されたか否かを監視する（Ｓ４０４）。通信相手を発見した場合（Ｓ４０４におけるＹｅｓ）、マイコン１１０は、発見した通信相手と通信するよう、ＷｉＦｉモジュール１６０を制御する。具体的には、メモリカード１７５に既に記録されている動画ファイル等のコンテンツデータや、現在撮像センタ１８５により撮像中の映像に基づく動画ストリームを、ＷｉＦｉモジュール１６０を介して通信するよう制御する。
【００３７】
マイコン１１０は、通信対象としたコンテンツデータの通信が完了したか否かを監視する（Ｓ４０６）。通信が完了するまで、マイコン１１０は、通信動作を継続する（Ｓ４０６におけるＮｏ）。通信が完了すると（Ｓ４０６におけるＹｅｓ）、マイコン１１０は、ＷｉＦｉモジュール１６０の通信待機状態を停止させる（Ｓ４０７）。
【００３８】
以上のようにして、デジタルビデオカメラ１００は、通信動作と充電動作とを両立させる。
【００３９】
ここで、図３を用いて、デジタルビデオカメラ１００が、通信動作を開始するか、通信動作を開始せずに充電動作を継続させるかの判断の基準とする電圧値について説明する。図３は、バッテリ電圧値の時間変化を説明するイメージ図である。
【００４０】
デジタルビデオカメラ１００は、図３に示すように、第１の電圧値（３．２Ｖ）と、第２の電圧値（３．１Ｖ）とを考慮して、充電制御が設計されている。第１の電圧値は、デジタルビデオカメラ１００のマイコン１１０が、ＷｉＦｉ通信を開始させる基準となる電圧値である。第２の電圧値は、ＷｉＦｉ通信を開始しても、バッテリセル２５０への充電電力が、ＷｉＦｉ通信の消費電力を下回らない限界の電圧値である。
【００４１】
図３に示すように、バッテリパック２００を装着したデジタルビデオカメラ１００を、無接点充電器３００に配置すると、電磁誘導の作用より、バッテリパック２００のバッテリセル２５０は充電されていく。このとき、バッテリセル２５０の電圧値は、第１の電圧値以下であるため、マイコン１１０はＷｉＦｉ通信を開始しない。
【００４２】
バッテリセル２５０の電圧値が第１の電圧値に達したとき、マイコン１１０は、ＷｉＦｉ通信を開始する。マイコン１１０がＷｉＦｉ通信を開始したことに伴って電力負荷が増大し、バッテリセル２５０の電圧値が低下する。このバッテリセル２５０の電圧値低下が起きたとしても、バッテリセル２５０への充電電力が、ＷｉＦｉ通信の消費電力を下回らないようにするため、第１の電圧値は、第２の電圧値に対して、バッテリセル２５０の電圧値低下分を考慮した値が設定されている。
【００４３】
仮に、バッテリセル２５０の電圧値低下が起きたときに、バッテリセル２５０への充電電力が、ＷｉＦｉ通信の消費電力を下回ってしまった場合、ＷｉＦｉ通信が完了するまで、バッテリセル２５０への充電がなされなくなってしまい、バッテリセル２５０に蓄積されていた電力が放電されてしまう。そして、ＷｉＦｉ通信中にバッテリセル２５０の電圧値がアンダーカット電圧を下回ってしまい、ＷｉＦｉ通信中であっても、強制的に通信停止されてしまう。
【００４４】
一方、本実施の形態１にかかるデジタルビデオカメラ１００は、バッテリパック２００の充電電圧に応じて、ＷｉＦｉ通信を許可するか、ＷｉＦｉ通信を許可せずバッテリパック２００の充電を継続するかを判断する。これにより、バッテリパック２００に対する無接点充電の電力が、ＷｉＦｉ通信による消費電力を上回ったことを確認でき、バッテリパック２００への充電と、他の通信機器へのＷｉＦｉ通信とを確実に両立させることができる。
【産業上の利用可能性】
【００４５】
本発明は、デジタルビデオカメラ、デジタルスチルカメラ、携帯電話、スマートフォン等の電子制御機器に適用できる。
【符号の説明】
【００４６】
１００  デジタルビデオカメラ
２００  バッテリパック
３００  無接点充電器
【図１】
2016048970.tif 000003
【図２】
2016048970.tif 000004
【図３】
2016048970.tif 000005